(57)【要約】      （修正有）【課題】内ストローの基端の吸い口部の拡径部をなくして、内ストローの吸い口部の違和感をなくし、しかも、内ストローが外ストローの先端から抜け出さないようにした新規な飲料用二重ストローを提供する。【解決手段】大径の外ストロー１と小径の内ストロー２とからなり、小径の内ストロー２が大径の外ストロー１内に納められ、小径の内ストロー２を大径の外ストロー１から引き出すことにより伸長する飲料用二重ストローであって、小径の内ストロー２の先端に拡径部を設け、外ストロー１の後端に縮径部４を設けて、これら拡径部と縮径部４が係合するようにしてあり、大径の外ストロー１の先端の突き刺し部５を絞り加工して内ストロー２が外ストロー１の先端から抜け出さないようにしてある。【選択図】図１
0003145219.tif 000002
【実用新案登録請求の範囲】
【請求項１】
大径の外ストローと小径の内ストローとからなり、小径の内ストローが大径の外ストロー内に納められ、小径の内ストローを大径の外ストローから引き出すことにより伸長する伸縮ストローであって、小径の内ストローの先端に拡径部を設け、外ストローの後端に縮径部を設けて、これら拡径部と縮径部が係合するようにしてあり、大径の外ストローの先端の突き刺し部を絞り加工して内ストローが外ストローの先端から抜け出さないようにしてある飲料用二重ストロー。
【請求項２】
大径の外ストローの後端近傍位置に小径の内ストローの先端拡径部を係止する内向きストッパーを設けてある上記請求項１に記載の飲料用二重ストロー。
【考案の詳細な説明】
【技術分野】
【０００１】
本考案は、内ストローと外ストローとからなり、外ストローの先端部に突き刺し部を設けてある飲料用二重ストローに関する。
【背景技術】
【０００２】
略同じ長さの内ストローと外ストローとからなり、内ストローを外ストロー内に収納して長さを短くし、薄い合成樹脂フイルムの袋に納めて各種飲料用容器の側壁に付着させ、飲料用容器内の飲料を飲用する際に、内ストローを外ストローから引き出して、略２倍の長さにしてこの長くした飲料用ストローを飲料用容器のストロー突き刺し口に突き刺して飲用に供する飲料用二重ストローは公知である。
さらに、外ストローの先端を尖鋭にすると共に基端に縮径部を形成し、内ストローの先端に拡径部を形成し、内ストローを基端側に抜き出した状態で上記拡径部と縮径部とが係合するようにし、さらに、内ストローが外ストローの先から抜け出さないように内ストローの基端の吸い口部に拡径部を形成した飲料用二重ストローも公知である（例えば特許文献１）。
上記公知の飲料用二重ストローは、比較的小型の飲料用容器の側壁に付着して使用されることが多く、非常に便利に利用され、その普及度もきわめて高い。
【０００３】
一方、飲料用ストローの先端部を先細りのテーパー形状に形成してあり、該先端部の先端を斜めに形成して先端傾斜部としてあり、該先端部の先端傾斜部の直径外径寸法を飲料容器のストロー刺し込み口の直径寸法より小さくしてある飲料用二重ストローも公知である（例えば特許文献２）
【０００４】
【特許文献１】特開昭６２−１９２１２３号公報
【特許文献２】特開２００７−１７６５９７号公報
【０００５】
上記特許文献１の公知例では、内ストローの基端の吸い口部に拡径部が形成され、この拡径部が飲料吸引の際に口中で邪魔になり、好ましくないという課題がある。
一方、上記特許文献２の公知例は、ストロー先端を飲料容器の刺し込み口に突き刺した際、飲料用容器の刺し込み口のフイルムが分離せず、異物として飲料内に落下しないという作用があるだけである。
【考案の開示】
【考案が解決しようとする課題】
【０００６】
本考案は、上記特許文献１の公知例にみられる内ストローの基端の吸い口部の拡径部をなくして、逆に基端部を軽くかしめて少し丸み込ませた内ストローで、吸い口部の違和感をなくし、しかも、内ストローが外ストローの先端から抜け出さないようにした新規な飲料用二重ストローを提供するものである。
【課題を解決するための手段】
【０００７】
そのために、本考案飲料用二重ストローは、大径の外ストローと小径の内ストローとからなり、小径の内ストローが大径の外ストロー内に納められ、小径の内ストローを大径の外ストローから引き出すことにより伸長する伸縮ストローであって、小径の内ストローの先端に拡径部を設け、外ストローの後端に縮径部を設けて、これら拡径部と縮径部が係合するようにしてあり、大径の外ストローの先端の突き刺し部を絞り加工して内ストローが外ストローの先端から抜け出さないようにしてある。
また、本考案飲料用二重ストローは、大径の外ストローの後端近傍位置に小径の内ストローの先端拡径部を係止する内向きストッパーを設けてある。
【考案の効果】
【０００８】
本考案飲料用二重ストローは、大径の外ストローと小径の内ストローとからなり、小径の内ストローが大径の外ストロー内に納められ、小径の内ストローを大径の外ストローから引き出すことにより伸長する伸縮ストローであって、小径の内ストローの先端に拡径部を設け、外ストローの後端に縮径部を設けて、これら拡径部と縮径部が係合するようにしてあり、大径の外ストローの先端の突き刺し部を絞り加工して内ストローが外ストローの先端から抜け出さないようにしてあるから、内ストローが外ストローの先端から抜け出ることなく、従って、内ストローの基端の吸い込み口に何ら拡径部を設けることがない。従って、内ストローの吸い込み口の違和感をなくした効果がある。また、飲み易さから基端の吸い込み口を軽くかしめて丸みを作ることで、吸い込み口の違和感を無くした効果がある。
また、本考案飲料用二重ストローは、大径の外ストローの後端近傍位置に小径の内ストローの先端拡径部を係止する内向きストッパーを設けてあるから、内ストローを外ストローから充分に引き出した際、内ストローの先端拡径部が外ストローの後端部近傍位置の内向きストッパーに係止し、内ストローが外ストロー内に引き込まれることのない効果がある。
【考案を実施するための最良の形態】
【０００９】
図面に示した実施例により本考案の詳細を説明する。
図中１が大径の外ストローであり、２が小径の内ストローであり、これら外、内のストローの長さは略同じにしてある。小径の内ストロー２が大径の外ストロー１内に納められ、小径の内ストロー２を大径の外ストロー１から後方に引き出すことにより伸長するようにしてある。
小径の内ストロー２の先端に従前公知の飲料用二重ストローと同様に拡径部３を設けてあり、大径の外ストロー１の後端に同じく従前公知の飲料用二重ストローと同様に縮径部４を設けてあり、小径の内ストロー２が大径の外ストロー１から後方に引き出すことにより二重ストローが伸長したとき、これら拡径部３と縮径部４とが係合するようにしてある。
【００１０】
大径の外ストロー１の先端の突き刺し部５は先方に先細りのテーパー形状になるよう絞り加工してあり、突き刺し部５の先端を斜めに形成して先端傾斜部６としてあり、この絞り加工により突き刺し部５の内径を内ストロー２の先端の拡径部３の外径より小さくし、内ストロー２が外ストロー１の先端の突き刺し部５より抜け出さないようにしてある。この構成により、内ストロー２の後端の吸い口部７をかしめて丸みをつくることで、拡径部等設けることなく、内容飲料の飲用時に吸い口部の拡径部による違和感をなくすことと、飲み易さの効果を高めることができる。
また、大径の外ストロー１の後端近傍位置に小径の内ストローの先端拡径部３を係止する内向きストッパー８を設けてあり、小径の内ストロー２を大径の外ストロー１より充分に引き出した際、内ストロー２の先端拡径部３が内向きストッパー８に係止し、内ストロー２が外ストロー１内に引き込まれることはない。
【図面の簡単な説明】
【００１１】
【図１】本考案飲料用二重ストローの収縮状態の正面図。
【図２】上記収縮状態の先端部分の拡大断面図。
【図３】本考案飲料用二重ストローの伸長状態の正面図。
【符号の説明】
【００１２】
１    外ストロー
２    内ストロー
３    拡径部
４    縮径部
５    突き刺し部
６    先端傾斜部
７    吸い口部
８    内向きストッパー
【図１】
0003145219.tif 000003
【図２】
0003145219.tif 000004
【図３】
0003145219.tif 000005